(57)【要約】 【課題】  表面側には紙等をカッターナイフにより切断する際に使用するカッター用マット面部が形成されると共に裏面側は粘土細工を行う際に使用する粘土細工用マット面が形成された工作用マットにおいて、カッター用マット面部を使用する場合に、机の作業面に当接する粘土細工用マット面が滑る可能性がなく、安全にカッターにより被切断物の切断作業を行うことができる工作用マットを提供する。【解決手段】  一側には紙等をカッターナイフにより切断する際に使用するカッター用マット面部が形成されると共に他側には粘土細工を行う際に使用する粘土細工用マット面部が形成された工作用マットであって、上記粘土細工用マット面部には滑り止め部が形成されている。  【選択図】  図２
2013052198.tif 000002
【特許請求の範囲】
【請求項１】
一側には紙等をカッターナイフにより切断する際に使用するカッター用マット面部が形成されると共に、他側には粘土細工を行う際に使用する平滑面を有する粘土細工用マット面部が形成された工作用マットであって、上記粘土細工用マット面部には滑り止め部が形成されていることを特徴とする工作用マット。  
【請求項２】
上記滑り止め部は合成樹脂製であることを特徴とする請求項１記載の工作用マット。
【請求項３】
上記マット本体部は平面長方形状に形成され、上記滑り止め部は、マット本体部の周縁部に形成されていることを特徴とする請求項２記載の工作用マット。
【請求項４】
上記滑り止め部は、マット本体部の周縁部全域に亘って形成されていることを特徴とする請求項３記載の工作用マット
【請求項５】
上記滑り止め部は、上記滑り止め部は、合成樹脂が塗布されて粘土工作用マット面部の一般面上にわずかに突出して形成され、多数の小さな平面上の凸凹部が形成されていることを特徴とする請求項４記載の工作用マット
【発明の詳細な説明】
【技術分野】
【０００１】
本発明は、工作用マットの改良に関する。
【背景技術】
【０００２】
従来より、小学校の低学年の授業等で使用される工作用マットとして、表面側には紙等をカッターナイフにより切断する際に使用するカッター用マット面部が形成されると共に、裏面側は粘土細工を行う際に使用する粘土細工用マット面が形成された工作用マットが使用されている。
【０００３】
上記カッター用マット面は、ゴム等によりカッター刃を吸収できるように形成されていると共に、上記粘土細工用マット面は、ポリオレフィン系樹脂により平滑な滑りやすい表面を有し、使用時に粘土がマット面に付かないように形成されている（特許文献１）。
【０００４】
このような工作用マットを、例えば、低学年の児童が使用する場合、カッター用マット面を使用してカッターで紙等を切断する場合、裏面側の粘土細工用マット面が滑りやすいことから、児童がカッターを使用した場合に、工作用マットそのものが机の天板上で滑ってしまい、カッターを使用している児童がカッターにより腕又は指等を損傷する可能性がある、という不具合があった。
【特許文献１】特開２０００−１２９９４１号公報
【発明の開示】
【発明が解決しようとする課題】
【０００５】
本発明はこのような従来からの不具合を解決するためのものであって、その課題は、表面側には紙等をカッターナイフにより切断する際に使用するカッター用マット面部が形成されると共に裏面側は粘土細工を行う際に使用する粘土細工用マット面が形成された工作用マットにおいて、カッター用マット面部を使用する場合に、机の作業面に当接する粘土細工用マット面が滑る可能性がなく、安全にカッターにより被切断物の切断作業を行うことができる工作用マットを提供することにある。
【課題を解決するための手段】
【０００６】
上記課題達成のため、請求項１記載の発明にあっては、一側には紙等をカッターナイフにより切断する際に使用するカッター用マット面部が形成されると共に他側には粘土細工を行う際に使用する粘土細工用マット面部が形成された工作用マットであって、上記粘土細工用マット面部には滑り止め部が形成されていることを特徴とする。  
【０００７】
従って、請求項１記載の発明にあっては、カッター用マット面部を使用する場合に、机の作業面には粘土細工用マット面が当接するが、上記滑り止め部が形成されていることから、机の作業面上において工作用マットが滑ってしまうという事態を防止することができる。
【０００８】
請求項２記載の発明にあっては、上記滑り止め部は合成樹脂製であることを特徴とする。
【０００９】
請求項３記載の発明にあっては、上記マット本体部は平面長方形状に形成され、上記滑り止め部は、マット本体部の周縁部に形成されていることを特徴とする。
【００１０】
従って、請求項３記載の発明にあっては、カッター用マット面部を使用してカッターにより被切断物を切断する場合に、マット本体部にどの方向の力が作用した場合であっても、上記滑り止め部はマット本体部の周縁部に形成されていることから、いずれの方向への滑りの事態も防止することができる。
【００１１】
請求項４記載の発明にあっては、上記滑り止め部は、マット本体部の周縁部全域に亘って形成されていることを特徴とする。
【００１２】
従って、請求項４記載の発明にあっては、マット本体部の周縁部に形成されていることから、粘土細工用マット面部を使用する際の作業の邪魔になることがない。
【００１３】
請求項５記載の発明にあっては、上記滑り止め部は、合成樹脂が塗布されて粘土工作用マット面部の一般面上にわずかに突出して形成され、多数の小さな平面上の凹凸部が形成されていることを特徴とする。
【００１４】
従って、請求項５記載の発明にあっては、上記滑り止め部が粘土工作用マット面部の一般面上に僅かに突出して形成されると共に、多数の小さな凹凸部が形成されていることから、粘土用マットが載置されている机の作業面に対する、滑り止め部の当接面積を増大することができる。
【発明の効果】
【００１５】
請求項１記載の発明に係る工作用マットにあっては、カッター用マット面部を使用する場合に、机の作業面には粘土細工用マット面部が当接するが、上記滑り止め部が形成されていることから、机の作業面上において工作用マットが滑ってしまうことがない。
【００１６】
その結果、工作用マットの使用者である、例えば、児童がカッターを使用した場合に、工作用マットそのものが机の天板上で滑ってしまい、カッターを使用している児童がカッターにより腕又は指等を損傷する、という事態を有効に防止することができる。
【００１７】
請求項２記載の発明にあっては、上記滑り止め部は合成樹脂製であることから、マット本体部に対して塗布等の手段により、容易かつ低コストで滑り止め部を形成することができる。
【００１８】
請求項３記載の発明にあっては、上記マット本体部は平面長方形状に形成され、上記滑り止め部は、マット本体部の周縁部に形成されていることから、粘土細工用マット面部を使用する際の作業の邪魔になることがない。
【００１９】
その結果、請求項３記載の発明にあっては、使用性と安全性を両立させうる作業用マットを提供することができる。
【００２０】
請求項４記載の発明にあっては、上記滑り止め部は、マット本体部の周縁部全域に亘って形成されており、カッター用マット面部を使用してカッターにより被切断物を切断する場合に、マット本体部にどの方向の力が作用した場合であっても、いずれの方向への滑りの事態も防止することができるため、マット本体部が机の作業面上で滑ってしまう事態をより確実に防止することができる。
【００２１】
請求項５記載の発明にあっては、上記滑り止め部は、合成樹脂が塗布されて粘土工作用マット面部の一般面上にわずかに突出して形成され、多数の小さな平面上の凹凸部が形成され、上記滑り止め部が粘土工作用マット面部の一般面上に僅かに突出して形成されると共に、多数の小さな凹凸部が形成されていることから、上記凹凸部が水平方向におけるストッパーとして有効に機能する。
【００２２】
その結果、請求項５記載の発明にあっては、より確実に滑る事態を防止できる作業用マットを提供することができる。  
【図面の簡単な説明】
【００２３】
【図１】本発明に係る作業用マットの一実施の形態を示す平面図であって、カッターナイフ用マット面部を示す図である。
【図２】本発明に係る作業用マットの一実施の形態を示す平面図であって、粘土細工用マット面部を示す図である。
【発明を実施するための最良の形態】
【００２４】
以下、添付図面に示す実施の形態に基づき、本発明を詳細に説明する。
図１及び図２に示すように、本実施の形態に係る作業用マット１０にあっては、一側には紙等をカッターナイフにより切断する際に使用するカッター用マット面部１１が形成されると共に他側には粘土細工を行う際に使用する粘土細工用マット面部１２が形成されている。
本実施の形態に係る作業用マット１０は、カッター用マット面部１１は軟質ＰＶＣ樹脂、粘土細工用マット面部１２は皇室ＰＶＣ樹脂を素材とし、全体として５層構造に形成されている。
【００２５】
図１に示すように、カッター用マット面部１１には１ｃｍ径の方眼目盛１７が表示されている。また、所有者の名前を記すことができる名前欄１８が隅部に形成されている。
【００２６】
図２に示すように、上記粘土細工用マット面部１２には滑り止め部１３が形成されている。上記マット本体部１４は平面長方形状に形成され、上記滑り止め部１３は、マット本体部１４の周縁部全域に亘って形成されている。
【００２７】
本実施の形態にあっては、上記滑り止め部１３は、合成樹脂が塗布されて粘土工作用マット面部の一般面１５上にわずかに突出して形成され、多数の小さな平面上の凹凸部１６が形成されている結果、上記滑り止め部１３は、一般面１５上において、全体として方形枠状に形成されている。また、滑り止め部１３の表面には、微細な凹凸が形成されている。
【００２８】
また、本面部にも、所有者の名前を記すことができる名前欄１９が隅部に形成されており、この名前欄１９も滑り止め部１３と同一の素材により形成されているが、名前書き込み上の便宜の観点から表面は平滑に形成されている。
【００２９】
従って、本実施の形態に係る作業用マット１０のカッター用マット面部１１を使用する場合には、粘土工作用マット面部１２が、例えば、机の作業面に当接することとなる。
【００３０】
この場合、本実施の形態に係る作業用マット１０にあっては、上記のように上記粘土細工用マット面部１２にはマット本体部１５の周縁部全域に亘って、表面部に微細な凹凸が形成された滑り止め部１３が形成されていることから、カッター用マット面部１１を使用してカッターにより被切断物を切断する場合に、マット本体部１４にどの方向の力が作用した場合であっても、いずれの方向への滑りの事態も防止することができる。
【００３１】
また、上記滑り止め部１３は、合成樹脂が塗布されて粘土工作用マット面部１２の一般面１５上にわずかに突出して形成され、多数の小さな平面上の凹凸部１６が形成されていることから、上記凹凸部１６が、載置面に対して水平方向におけるストッパーとして有効に機能する。
【００３２】
その結果、作業用マット１０が机の作業面上で滑ってしまう事態を確実に防止することができる。
【００３３】
なお、本実施の形態にあっては、マット本体部１４が平面長方形状に形成された場合を例に説明したが、マット本体部１４の具体的形態は上記実施の形態に限定されない。
【００３４】
本実施の形態にあっては、滑り止め部１３を構成する合成樹脂がＰＶＣの場合を例に説明したが、これに限定されず、載置される机等の作業面との間で摩擦抵抗係数の大きな素材であればよい。
【産業上の利用可能性】
【００３５】
本発明に係る作業用マットは、広く作業用マットに適用することができ、産業上の利用可能性を有している。
【符号の説明】
【００３６】
１０  作業用マット
１１  カッター用マット面部
１２  粘土工作用マット面部
１３  滑り止め部
１４  マット本体部
１５  一般面
１６  凹凸部
１７  方眼目盛
１８  名前欄
１９  名前欄
【図１】
2013052198.tif 000003
【図２】
2013052198.tif 000004